(57)【要約】【課題】円滑にスマートに仕切りを着脱できる仕切り着脱式バッグの提供を図る。【解決手段】収納部１２を備えたバッグ本体１１と、前記収納部１２内に設けられた仕切り４０とを備えたバッグである。上記バッグ本体１１と仕切り４０とは、互いにスライド可能に嵌り合うスライド部材３１を備え、前記仕切り４０を上方に引き抜くことで、バッグ本体１１から仕切り４０を外すことができ、スライド部材１３を嵌め合わせてスライドさせることで、仕切り４０を前記バッグ本体１１に取り付けることができる。【選択図】図１
0003170701.tif 000002
【実用新案登録請求の範囲】
【請求項１】
収納部を備えたバッグ本体と、前記収納部内に設けられた仕切りとを備えたバッグにおいて、
バッグ本体と仕切りとは、互いにスライド可能に嵌り合うスライド部材を備え、
前記仕切りを上方に引き抜くことで、前記バッグ本体から前記仕切りを外すことができ、前記スライド部材を嵌め合わせてスライドさせることで、前記仕切りを前記バッグ本体に取り付けることができる仕切り着脱式バッグ。
【請求項２】
前記バッグ本体は、前面部と、後面部と、底部と、上部と、前記前面部と前記後面部との間の左右の襠部とを備え、少なくとも前記上部は開閉可能であり、
前記仕切りの左右両側と、前記左右の襠部とに、前記スライド部材が設けられ、
前記スライド部材は、互いに上下にスライド可能であり、
前記仕切りを前記上部から取り外しすることを特徴とする請求項１記載の仕切り着脱式バッグ。
【請求項３】
前記仕切りは、ブリーフケース型部材と、パソコンケース型部材との２種を備え、
前記ブリーフケース型部材は、上部に出し入れ口を有し、左右に襠のないケースであって、前記襠のない左右に前記スライド部材が設けられた、書類を収納できるケースであり、
前記パソコンケース型部材は、上部に出し入れ口と持ち手を有し、左右に襠を有するケースであって、前記左右の襠に前記スライド部材が設けられた、ノートパソコンを収納できるケースであり、
前記ブリーフケース型部材と、前記パソコンケース型部材との２種を、前記バッグ本体のスライド部材に交換可能に取り外しすることを特徴とする請求項２記載の仕切り着脱式バッグ。
【請求項４】
前記スライド部材は、オス部材と、前記オス部材をスライド可能に受容する受け部材とを備え、
前記オス部材は、前記仕切りに取り付けられる固定部と、前記固定部に支持された首部と、前記首部の先端に設けられた頭部とを備え、
前記頭部は、前記首部よりも前後幅が大きく、
前記受け部材は、前記襠部に取り付けられる固定部と、前記固定部に支持されると共に前記頭部をスライド可能に受け入れる頭受容部と、前記頭部よりも前後幅が小さく前記首部を通すことができる首挿通部とを備えたことを特徴とする請求項１〜３の何れかに記載の仕切り着脱式バッグ。
【請求項５】
前記バッグ本体の左右の前記スライド部材は、上部に仮固定部を備え、
前記仕切りの左右の前記スライド部材は、下部に仮固定部を備え、
前記仕切りの左右何れか一方の前記スライド部材の前記仮固定部を、前記バッグ本体の左右何れか一方の前記スライド部材の前記仮固定部に仮固定部させた状態で、前記仕切りの左右何れか他方の前記スライド部材を、前記バッグ本体の左右何れか他方の前記スライド部材に嵌め合わせ、
前記仕切りの左右双方の前記スライド部材を、前記バッグ本体の左右双方の前記スライド部材に対して上下にスライドさせて、前記仕切りを前記バッグ本体に取り付けるようにしたことを特徴とする請求項２又は３記載の仕切り着脱式バッグ。
【請求項６】
前記仕切りの左右の前記スライド部材は、下部と上部に仮固定部を備え、
前記仕切りを前記バッグ本体に取り付けた状態で、前記仕切りの前記上部の仮固定部と、前記バッグ本体の前記仮固定部とが、仮固定されていることを特徴とする請求項５記載の仕切り着脱式バッグ。
【考案の詳細な説明】
【技術分野】
【０００１】
本願考案は、仕切り着脱式バッグに関するものである。
【背景技術】
【０００２】
従来より、下記の先行技術文献に示す仕切り着脱式バッグが知られている。ところが円滑にスマートに仕切りを着脱できるとは言いがたいものであった。
【先行技術文献】
【特許文献】
【０００３】
【特許文献１】特開平９−２８４４１号公報
【特許文献２】実用新案登録第３０５４３７２号公報
【考案の概要】
【考案が解決しようとする課題】
【０００４】
本願考案は、円滑にスマートに仕切りを着脱できる仕切り着脱式バッグの提供を図ることを目的とする。
【課題を解決するための手段】
【０００５】
本願考案は、収納部を備えたバッグ本体と、前記収納部内に設けられた仕切りとを備えたバッグにおいて、バッグ本体と仕切りとは、互いにスライド可能に嵌り合うスライド部材を備え、前記仕切りを上方に引き抜くことで、前記バッグ本体から前記仕切りを外すことができ、前記スライド部材を嵌め合わせてスライドさせることで、前記仕切りを前記バッグ本体に取り付けることができる仕切り着脱式バッグを提供することにより、上記課題を解決する。
【０００６】
前記バッグ本体は、前面部と、後面部と、底部と、上部と、前記前面部と前記後面部との間の左右の襠部とを備え、少なくとも前記上部は開閉可能であり、前記仕切りの左右両側と、前記左右の襠部とに、前記スライド部材が設けられ、前記スライド部材は、互いに上下にスライド可能であり、前記仕切りを前記上部から取り外しすることを特徴とするものとして実施できる。
【０００７】
前記仕切りは、ブリーフケース型部材と、パソコンケース型部材との２種を備え、前記ブリーフケース型部材は、上部に出し入れ口を有し、左右に襠のないケースであって、前記襠のない左右に前記スライド部材が設けられた、書類を収納できるケースであり、前記パソコンケース型部材は、上部に出し入れ口と持ち手を有し、左右に襠を有するケースであって、前記左右の襠に前記スライド部材が設けられた、ノートパソコンを収納できるケースであり、前記ブリーフケース型部材と、前記パソコンケース型部材との２種を、前記バッグ本体のスライド部材に交換可能に取り外しすることを特徴とするものとして実施できる。
【０００８】
前記スライド部材は、オス部材と、前記オス部材をスライド可能に受容する受け部材とを備え、前記オス部材は、前記仕切りに取り付けられる固定部と、前記固定部に支持された首部と、前記首部の先端に設けられた頭部とを備え、前記頭部は、前記首部よりも前後幅が大きく、前記受け部材は、前記襠部に取り付けられる固定部と、前記固定部に支持されると共に前記頭部をスライド可能に受け入れる頭受容部と、前記頭部よりも前後幅が小さく前記首部を通すことができる首挿通部とを備えたことを特徴とするものとして実施できる。
【０００９】
前記バッグ本体の左右の前記スライド部材は、上部に仮固定部を備え、前記仕切りの左右の前記スライド部材は、下部に仮固定部を備え、前記仕切りの左右何れか一方の前記スライド部材の前記仮固定部を、前記バッグ本体の左右何れか一方の前記スライド部材の前記仮固定部に仮固定部させた状態で、前記仕切りの左右何れか他方の前記スライド部材を、前記バッグ本体の左右何れか他方の前記スライド部材に嵌め合わせ、前記仕切りの左右双方の前記スライド部材を、前記バッグ本体の左右双方の前記スライド部材に対して上下にスライドさせて、前記仕切りを前記バッグ本体に取り付けるようにしたことを特徴とするものとして実施できる。
【００１０】
前記仕切りの左右の前記スライド部材は、下部と上部に仮固定部を備え、前記仕切りを前記バッグ本体に取り付けた状態で、前記仕切りの前記上部の仮固定部と、前記バッグ本体の前記仮固定部とが、仮固定されていることを特徴とするものとして実施できる。
【考案の効果】
【００１１】
本願考案のバッグは、バッグ本体と仕切りとが、互いにスライド可能に嵌り合うスライド部材を備えたものであり、円滑にスマートに仕切りを着脱することができる。特に、前記スライド部材は互いに上下にスライド可能であり、前記仕切りを前記上部から取り外しすることを特徴とすることで、前記仕切りを簡単にスマートに着脱させることができる。
【００１２】
前記ブリーフケース型部材と、前記パソコンケース型部材との２種を、前記バッグ本体のスライド部材に交換可能に取り外しすることを特徴とすることで、２種類のバッグとして使用できる。パソコンケース型部材は、前記ブリーフケース型部材は、上部に出し入れ口と持ち手を有し、左右に襠を有するケースであって、前記左右の襠に前記スライド部材が設けられたことにより、比較的重いノートパソコンを入れた状態でも、パソコンケース型部材をバッグ本体から取り外しすることができる。
【００１３】
前記スライド部材は、オス部材と、前記オス部材をスライド可能に受容する受け部材とを備え、前記オス部材は、前記仕切りに取り付けられる固定部と、前記固定部に支持された首部と、前記首部の先端に設けられた頭部とを備え、前記頭部は、前記首部よりも前後幅が大きく、前記受け部材は、前記襠部に取り付けられる固定部と、前記固定部に支持されると共に前記頭部をスライド可能に受け入れる頭受容部と、前記頭部よりも前後幅が小さく前記首部を通すことができる首挿通部とを備えたものとすることで、簡単且つ確実な仕切りの着脱を行うことができる。
【００１４】
前記バッグ本体の左右の前記スライド部材は、上部に仮固定部を備え、前記仕切りの左右の前記スライド部材は、下部に仮固定部を備え、前記仕切りの左右何れか一方の前記スライド部材の前記仮固定部を、前記バッグ本体の左右何れか一方の前記スライド部材の前記仮固定部に仮固定部させた状態で、前記仕切りの左右何れか他方の前記スライド部材を、前記バッグ本体の左右何れか他方の前記スライド部材に嵌め合わせ、前記仕切りの左右双方の前記スライド部材を、前記バッグ本体の左右双方の前記スライド部材に対して上下にスライドさせることにより、左右双方の前記スライド部材を円滑に無理なく嵌め合わせて、前記仕切りを前記バッグ本体に取り付けることができる。
【００１５】
前記仕切りの左右の前記スライド部材は、下部と上部に仮固定部を備え、前記仕切りを前記バッグ本体に取り付けた状態で、前記仕切りの前記上部の仮固定部と、前記バッグ本体の前記仮固定部とが、仮固定されていることを特徴とするものとして実施することで、前記バッグ本体の前記仮固定部を、仕切り挿入開始時の仮固定と、仕切り挿入完了時の仮固定との双方に使用できる。
【図面の簡単な説明】
【００１６】
【図１】本願考案の実施の形態に係るバッグの使用状態の説明図である。
【図２】同バッグの斜視図である。
【図３】同バッグのパソコンケース型の仕切りの斜視図である。
【図４】（Ａ）は同バッグのスライド部材の平面図であり、（Ｂ）は同バッグのスライド部材の使用状態の説明図である。
【考案を実施するための形態】
【００１７】
以下、図面に基づき本願考案の実施の形態を説明する。
（概要）
このバッグは、収納部１２を有するバッグ本体１１と、収納部１２に装着され収納部１２を仕切るための仕切り４０とを備える。この例では、仕切り４０として、ブリーフケース型部材４１（図１参照）とパソコンケース型部材５１（図３参照）との２種類がセットとして用意されており、ブリーフケース型部材４１とパソコンケース型部材５１とを交換してバッグ本体１１に装着してもよく、ブリーフケース型部材４１とパソコンケース型部材５１の双方を装着せずに仕切りのないバッグとして使用することもできる。また仕切り４０は１種類でもよく３種類以上を用意してもよい。
【００１８】
（バッグ本体１１）
バッグ本体１１は、前後面部１３と、底部１５と、上部１６と、左右の外襠部１７とを備える。左右の外襠部１７と上部１６には開閉ファスナ１９によって開閉する出し入れ口が設けられ、左右の外襠部１７の内側には、内襠部１８が張られている。この内襠部１８は切り目や開口などは設けられておらず、外襠部１７が前後に開いても、内襠部１８は前後面部１３の間に渡された状態を維持する。
【００１９】
この左右の内襠部１８の内側には、仕切り４０を着脱可能に取り付けるためのスライド部材３１が縦方向（上下方向）に設けられている。この例では、内襠部１８のスライド部材３１として、受け部材３６が用いられている（図４参照）。
【００２０】
（ブリーフケース型部材４１）
次に、仕切り４０について説明する。１種類目の仕切り４０は、ブリーフケース型部材４１である。図１に示すように、このブリーフケース型部材４１は、前後面４２を備え、上部に出し入れ口４３が設けられているが、襠はなく、底部も前後面４２が縫い合わされているに止まる。左右の側辺には、スライド部材３１としてオス部材３２が縦方向に設けられている。このブリーフケース型部材４１は、出し入れ口４３からＡ４版程度の書類を出し入れすることができるもので、前後面４２が仕切りとして機能する。
【００２１】
（パソコンケース型部材５１）
他の１種類の仕切り４０は、パソコンケース型部材５１である。図３に示すように、このパソコンケース型部材５１は、前後面５２を備えると共に、左右に襠５５を備え、上部に長方形の出し入れ口５３が設けられている。左右の襠５５の略中央には、スライド部材３１としてオス部材３２が縦方向に設けられている。このオス部材３２は、上記ブリーフケース型部材４１のオス部材３２と同じ形状のものが用いられている。このパソコンケース型部材５１は、出し入れ口５３からＡ４版程度のノートパソコンを出し入れすることができるもので、前後面５２が仕切りとして機能する。前後面５２の上部には持ち手５４が設けられているため、比較的重いノートパソコンを収納したままでも、パソコンケース型部材５１全体を楽に着脱することができる。この例では、前後面５２に着脱可能なポケット５６を設けたが、ポケット５６を設けずに実施することもできる。
【００２２】
（スライド部材３１）
スライド部材３１は、図４に示すように、オス部材３２と、このオス部材３２をスライド可能に着脱する受け部材３６との２種類からなる。オス部材３２は、ブリーフケース型部材４１、パソコンケース型部材５１のそれぞれの左右に、縦方向へ設けられ、固定部３３は、バッグ本体１１の左右の内襠部１８に、縦方向へ設けられている。
【００２３】
オス部材３２は、縦方向に伸びるように形成されており、横方向断面において、前記仕切り４０の左右に縫着やリベットで取り付けられる固定部３３と、固定部３３に支持された首部３４と、首部３４の先端に設けられた頭部３５とを備える。頭部３５は、首部３４よりも前後幅が大きく設定されている。
【００２４】
受け部材３６も、縦方向に伸びるように形成されており、横方向断面において、鞄本体１１（この例では内襠１８）に縫着やリベットで取り付けられる固定部３７と、固定部３７に支持されると共に頭部３５をスライド可能に受け入れる頭受容部３８とを備える。頭受容部３８には首挿通部３９が開口している。首挿通部３９は、頭部３５よりも前後幅が小さく、且つ、首部３４よりも前後幅が小さく、これを通すことができる。
【００２５】
この受け部材３６には、その上端から、オス部材３２の下端を挿入して、下方にスライドさせることにより一体化され、左右方向に引っ張っても、頭部３５が頭受容部３８に嵌っているため、抜けることがない。
【００２６】
（使用方法）
使用に際しては、ブリーフケース型部材４１、パソコンケース型部材５１を、開閉ファスナ１９を開いたバッグ本体１１の上部１６開口から、縦方向にスライドさせるだけで簡単に着脱することができる。これによりブリーフケース型部材４１とパソコンケース型部材５１とを素早く交換したり、予め必要な書類をブリーフケース型部材４１に収納しておき、ブリーフケース型部材４１ごとバッグ本体１１に取り付けることで、忘れ物の防止をすることができる。また、図１のバッグ本体１と図２のバッグ本体１１と言うように、左右の幅が同じバッグ本体１１を複数個（複数種類）用意しておき、これらのバッグ本体１１に対して、１つの仕切４０を選択的に取り付けて使用することもできる。図２のバッグ本体１１の前後面部１３には提げ手１４が取り付けられている。
【００２７】
なお、図１に示すように、バッグ本体１１側に取り付けられる左右のスライド部材３１の上部ａに仮固定部を設け、仕切り４０側に取り付けられる左右のスライド部材３１の下部ｂに仮固定部を設けることにより、より簡単に仕切り４０をバッグ本体１１に取り付けることができる。仕切り４０を装着するには、スライド部材３１を左右ともに嵌め合わせてスライドさせる必要があるが、左右同時に嵌め合わせることは困難である。そのため、左右何れか一方を嵌めた後に、他方を嵌め入れる必要があるが、先の一方を深く挿入しすぎると、他方の嵌め入れが困難になる場合がある。そこで上記仮固定部を設けることで、先の一方が深く挿入されすぎることを防止し、他方の嵌め入れを容易にする。この仮固定部の例としては、受け部材３６の上部ａと、オス部材３２の下部ｂとに、小さな凹凸を設けるといった機械的な係止や、磁石を利用した磁着などを挙げることができ、いずれにしてもスライドの際の力で簡単に外れるような仮固定とする。この仮固定は、仕切り４０が必要以上に下方にいかないように止めることだけでもよいが、後の他方を嵌めているうちに、先の一方が外れてしまうことを防ぐことができるようにしておくことが望ましい。
【００２８】
さらに仕切り４０のオス部材３２は、下部ｂに加えて上部ｃにも仮固定部を備えたものとしておいてもよい。これにより、バッグ本体１１の受け部材３６の上部ａに仮固定部治して、オス部材３２の上部ｃの仮固定部を仮固定することで、仕切り４０挿入完了時の仮固定としても使用できる。
【００２９】
本願考案は上記の例に限らず種々変更して実施することができるものであり、例えば、仕切り４０は、単純な１枚の板にしても良く、複雑な複数の収納部を有するものとして実施することもできる。バッグの形態も様々に変更することができ、下げ手や、肩掛けベルトを備えたものにしたり、内側や外側に多数の収納部を備えたものにするなど、適宜変更して実施することができるものである。
【符号の説明】
【００３０】
１１  バッグ本体
１２  収納部
１３  前後面部
１４  提げ手
１５  底部
１６  上部
１７  外襠部
１８  内襠部
１９  開閉ファスナ
３１  スライド部材
３２  オス部材
３３  固定部
３４  首部
３５  頭部
３６  受け部材
３７  固定部
３８  頭受容部
３９  首挿通部
４０  仕切り
４１  ブリーフケース型部材
４２  前後面
４３  出し入れ口
５１  パソコンケース型部材
５２  前後面
５３  出し入れ口
５４  持ち手
５５  襠
【図１】
0003170701.tif 000003
【図２】
0003170701.tif 000004
【図３】
0003170701.tif 000005
【図４】
0003170701.tif 000006
【手続補正書】
【提出日】平成23年7月25日(2011.7.25)
【手続補正１】
【補正対象書類名】明細書
【補正対象項目名】全文
【補正方法】変更
【補正の内容】
【考案の詳細な説明】
【技術分野】
【０００１】
本願考案は、仕切り着脱式バッグに関するものである。
【背景技術】
【０００２】
従来より、下記の先行技術文献に示す仕切り着脱式バッグが知られている。ところが円滑にスマートに仕切りを着脱できるとは言いがたいものであった。
【先行技術文献】
【特許文献】
【０００３】
【特許文献１】特開平９−２８４４１号公報
【特許文献２】実用新案登録第３０５４３７２号公報
【考案の概要】
【考案が解決しようとする課題】
【０００４】
本願考案は、円滑にスマートに仕切りを着脱できる仕切り着脱式バッグの提供を図ることを目的とする。
【課題を解決するための手段】
【０００５】
本願考案は、収納部を備えたバッグ本体と、前記収納部内に設けられた仕切りとを備えたバッグにおいて、バッグ本体と仕切りとは、互いにスライド可能に嵌り合うバッグ本体側のスライド部材と仕切り側のスライド部材を備え、前記仕切りを上方に引き抜くことで、前記バッグ本体から前記仕切りを外すことができ、前記バッグ本体側のスライド部材と前記仕切り側のスライド部材とを嵌め合わせてスライドさせることで、前記仕切りを前記バッグ本体に取り付けることができる仕切り着脱式バッグを提供することにより、上記課題を解決する。
【０００６】
前記バッグ本体は、前面部と、後面部と、底部と、上部と、前記前面部と前記後面部との間の左右の襠部とを備え、少なくとも前記上部は開閉可能であり、前記仕切りの左右両側に前記仕切り側のスライド部材が設けられ、前記左右の襠部に前記バッグ本体側のスライド部材が設けられ、前記バッグ本体側のスライド部材と前記仕切り側のスライド部材とは、互いに上下にスライド可能であり、前記仕切りを前記上部から取り外しすることを特徴とするものとして実施できる。
【０００７】
前記仕切りは、ブリーフケース型部材と、パソコンケース型部材との２種を備え、前記ブリーフケース型部材は、上部に出し入れ口を有し、左右に襠のないケースであって、前記襠のない左右に前記仕切り側のスライド部材が設けられた、書類を収納できるケースであり、前記パソコンケース型部材は、上部に出し入れ口と持ち手を有し、左右に襠を有するケースであって、前記左右の襠に前記仕切り側のスライド部材が設けられた、ノートパソコンを収納できるケースであり、前記ブリーフケース型部材と、前記パソコンケース型部材との２種を、前記バッグ本体側のスライド部材に交換可能に取り外しすることを特徴とするものとして実施できる。
【０００８】
前記仕切り側のスライド部材はオス部材を備え、前記バッグ本体側のスライド部材は前記オス部材をスライド可能に受容する受け部材を備え、前記オス部材は、前記仕切りに取り付けられる固定部と、前記固定部に支持された首部と、前記首部の先端に設けられた頭部とを備え、前記頭部は、前記首部よりも前後幅が大きく、前記受け部材は、前記バッグ本体に取り付けられる固定部と、前記固定部に支持されると共に前記頭部をスライド可能に受け入れる頭受容部と、前記頭部よりも前後幅が小さく前記首部を通すことができる首挿通部とを備えたことを特徴とするものとして実施できる。
【０００９】
前記バッグ本体側の左右の前記スライド部材は、上部に仮固定部を備え、前記仕切り側の左右の前記スライド部材は、下部に仮固定部を備え、前記仕切り側の左右何れか一方の前記スライド部材の前記仮固定部を、前記バッグ本体側の左右何れか一方の前記スライド部材の前記仮固定部に仮固定させた状態で、前記仕切り側の左右何れか他方の前記スライド部材を、前記バッグ本体側の左右何れか他方の前記スライド部材に嵌め合わせ、前記仕切り側の左右双方の前記スライド部材を、前記バッグ本体側の左右双方の前記スライド部材に対して上下にスライドさせて、前記仕切りを前記バッグ本体に取り付けるようにしたことを特徴とするものとして実施できる。
【００１０】
前記仕切り側の左右の前記スライド部材は、下部と上部に仮固定部を備え、前記仕切りを前記バッグ本体に取り付けた状態で、前記仕切り側のスライド部材における前記上部の仮固定部と、前記バッグ本体側のスライド部材における前記仮固定部とが、仮固定されていることを特徴とするものとして実施できる。
【考案の効果】
【００１１】
本願考案のバッグは、バッグ本体と仕切りとが、互いにスライド可能に嵌り合うスライド部材を備えたものであり、円滑にスマートに仕切りを着脱することができる。特に、前記スライド部材は互いに上下にスライド可能であり、前記仕切りを前記上部から取り外しすることを特徴とすることで、前記仕切りを簡単にスマートに着脱させることができる。
【００１２】
前記ブリーフケース型部材と、前記パソコンケース型部材との２種を、前記バッグ本体のスライド部材に交換可能に取り外しすることを特徴とすることで、２種類のバッグとして使用できる。パソコンケース型部材は、前記ブリーフケース型部材は、上部に出し入れ口と持ち手を有し、左右に襠を有するケースであって、前記左右の襠に前記スライド部材が設けられたことにより、比較的重いノートパソコンを入れた状態でも、パソコンケース型部材をバッグ本体から取り外しすることができる。
【００１３】
前記スライド部材は、オス部材と、前記オス部材をスライド可能に受容する受け部材とを備え、前記オス部材は、前記仕切りに取り付けられる固定部と、前記固定部に支持された首部と、前記首部の先端に設けられた頭部とを備え、前記頭部は、前記首部よりも前後幅が大きく、前記受け部材は、前記襠部に取り付けられる固定部と、前記固定部に支持されると共に前記頭部をスライド可能に受け入れる頭受容部と、前記頭部よりも前後幅が小さく前記首部を通すことができる首挿通部とを備えたものとすることで、簡単且つ確実な仕切りの着脱を行うことができる。
【００１４】
前記バッグ本体の左右の前記スライド部材は、上部に仮固定部を備え、前記仕切りの左右の前記スライド部材は、下部に仮固定部を備え、前記仕切りの左右何れか一方の前記スライド部材の前記仮固定部を、前記バッグ本体の左右何れか一方の前記スライド部材の前記仮固定部に仮固定部させた状態で、前記仕切りの左右何れか他方の前記スライド部材を、前記バッグ本体の左右何れか他方の前記スライド部材に嵌め合わせ、前記仕切りの左右双方の前記スライド部材を、前記バッグ本体の左右双方の前記スライド部材に対して上下にスライドさせることにより、左右双方の前記スライド部材を円滑に無理なく嵌め合わせて、前記仕切りを前記バッグ本体に取り付けることができる。
【００１５】
前記仕切りの左右の前記スライド部材は、下部と上部に仮固定部を備え、前記仕切りを前記バッグ本体に取り付けた状態で、前記仕切りの前記上部の仮固定部と、前記バッグ本体の前記仮固定部とが、仮固定されていることを特徴とするものとして実施することで、前記バッグ本体の前記仮固定部を、仕切り挿入開始時の仮固定と、仕切り挿入完了時の仮固定との双方に使用できる。
【図面の簡単な説明】
【００１６】
【図１】本願考案の実施の形態に係るバッグの使用状態の説明図である。
【図２】同バッグの斜視図である。
【図３】同バッグのパソコンケース型の仕切りの斜視図である。
【図４】（Ａ）は同バッグのスライド部材の平面図であり、（Ｂ）は同バッグのスライド部材の使用状態の説明図である。
【考案を実施するための形態】
【００１７】
以下、図面に基づき本願考案の実施の形態を説明する。
（概要）
このバッグは、収納部１２を有するバッグ本体１１と、収納部１２に装着され収納部１２を仕切るための仕切り４０とを備える。この例では、仕切り４０として、ブリーフケース型部材４１（図１参照）とパソコンケース型部材５１（図３参照）との２種類がセットとして用意されており、ブリーフケース型部材４１とパソコンケース型部材５１とを交換してバッグ本体１１に装着してもよく、ブリーフケース型部材４１とパソコンケース型部材５１の双方を装着せずに仕切りのないバッグとして使用することもできる。また仕切り４０は１種類でもよく３種類以上を用意してもよい。
【００１８】
（バッグ本体１１）
バッグ本体１１は、前後面部１３と、底部１５と、上部１６と、左右の外襠部１７とを備える。左右の外襠部１７と上部１６には開閉ファスナ１９によって開閉する出し入れ口が設けられ、左右の外襠部１７の内側には、内襠部１８が張られている。この内襠部１８は切り目や開口などは設けられておらず、外襠部１７が前後に開いても、内襠部１８は前後面部１３の間に渡された状態を維持する。
【００１９】
この左右の内襠部１８の内側には、仕切り４０を着脱可能に取り付けるためのスライド部材３１が縦方向（上下方向）に設けられている。この例では、内襠部１８のスライド部材３１として、受け部材３６が用いられている（図４参照）。
【００２０】
（ブリーフケース型部材４１）
次に、仕切り４０について説明する。１種類目の仕切り４０は、ブリーフケース型部材４１である。図１に示すように、このブリーフケース型部材４１は、前後面４２を備え、上部に出し入れ口４３が設けられているが、襠はなく、底部も前後面４２が縫い合わされているに止まる。左右の側辺には、スライド部材３１としてオス部材３２が縦方向に設けられている。このブリーフケース型部材４１は、出し入れ口４３からＡ４版程度の書類を出し入れすることができるもので、前後面４２が仕切りとして機能する。
【００２１】
（パソコンケース型部材５１）
他の１種類の仕切り４０は、パソコンケース型部材５１である。図３に示すように、このパソコンケース型部材５１は、前後面５２を備えると共に、左右に襠５５を備え、上部に長方形の出し入れ口５３が設けられている。左右の襠５５の略中央には、スライド部材３１としてオス部材３２が縦方向に設けられている。このオス部材３２は、上記ブリーフケース型部材４１のオス部材３２と同じ形状のものが用いられている。このパソコンケース型部材５１は、出し入れ口５３からＡ４版程度のノートパソコンを出し入れすることができるもので、前後面５２が仕切りとして機能する。前後面５２の上部には持ち手５４が設けられているため、比較的重いノートパソコンを収納したままでも、パソコンケース型部材５１全体を楽に着脱することができる。この例では、前後面５２に着脱可能なポケット５６を設けたが、ポケット５６を設けずに実施することもできる。
【００２２】
（スライド部材３１）
スライド部材３１は、図４に示すように、オス部材３２と、このオス部材３２をスライド可能に着脱する受け部材３６との２種類からなる。オス部材３２は、ブリーフケース型部材４１、パソコンケース型部材５１のそれぞれの左右に、縦方向へ設けられ、固定部３３は、バッグ本体１１の左右の内襠部１８に、縦方向へ設けられている。
【００２３】
オス部材３２は、縦方向に伸びるように形成されており、横方向断面において、前記仕切り４０の左右に縫着やリベットで取り付けられる固定部３３と、固定部３３に支持された首部３４と、首部３４の先端に設けられた頭部３５とを備える。頭部３５は、首部３４よりも前後幅が大きく設定されている。
【００２４】
受け部材３６も、縦方向に伸びるように形成されており、横方向断面において、鞄本体１１（この例では内襠１８）に縫着やリベットで取り付けられる固定部３７と、固定部３７に支持されると共に頭部３５をスライド可能に受け入れる頭受容部３８とを備える。頭受容部３８には首挿通部３９が開口している。首挿通部３９は、頭部３５よりも前後幅が小さく、且つ、首部３４よりも前後幅が小さく、これを通すことができる。
【００２５】
この受け部材３６には、その上端から、オス部材３２の下端を挿入して、下方にスライドさせることにより一体化され、左右方向に引っ張っても、頭部３５が頭受容部３８に嵌っているため、抜けることがない。
【００２６】
（使用方法）
使用に際しては、ブリーフケース型部材４１、パソコンケース型部材５１を、開閉ファスナ１９を開いたバッグ本体１１の上部１６開口から、縦方向にスライドさせるだけで簡単に着脱することができる。これによりブリーフケース型部材４１とパソコンケース型部材５１とを素早く交換したり、予め必要な書類をブリーフケース型部材４１に収納しておき、ブリーフケース型部材４１ごとバッグ本体１１に取り付けることで、忘れ物の防止をすることができる。また、図１のバッグ本体１と図２のバッグ本体１１と言うように、左右の幅が同じバッグ本体１１を複数個（複数種類）用意しておき、これらのバッグ本体１１に対して、１つの仕切４０を選択的に取り付けて使用することもできる。図２のバッグ本体１１の前後面部１３には提げ手１４が取り付けられている。
【００２７】
なお、図１に示すように、バッグ本体１１側に取り付けられる左右のスライド部材３１の上部ａに仮固定部を設け、仕切り４０側に取り付けられる左右のスライド部材３１の下部ｂに仮固定部を設けることにより、より簡単に仕切り４０をバッグ本体１１に取り付けることができる。仕切り４０を装着するには、スライド部材３１を左右ともに嵌め合わせてスライドさせる必要があるが、左右同時に嵌め合わせることは困難である。そのため、左右何れか一方を嵌めた後に、他方を嵌め入れる必要があるが、先の一方を深く挿入しすぎると、他方の嵌め入れが困難になる場合がある。そこで上記仮固定部を設けることで、先の一方が深く挿入されすぎることを防止し、他方の嵌め入れを容易にする。この仮固定部の例としては、受け部材３６の上部ａと、オス部材３２の下部ｂとに、小さな凹凸を設けるといった機械的な係止や、磁石を利用した磁着などを挙げることができ、いずれにしてもスライドの際の力で簡単に外れるような仮固定とする。この仮固定は、仕切り４０が必要以上に下方にいかないように止めることだけでもよいが、後の他方を嵌めているうちに、先の一方が外れてしまうことを防ぐことができるようにしておくことが望ましい。
【００２８】
さらに仕切り４０のオス部材３２は、下部ｂに加えて上部ｃにも仮固定部を備えたものとしておいてもよい。これにより、バッグ本体１１の受け部材３６の上部ａに仮固定部治して、オス部材３２の上部ｃの仮固定部を仮固定することで、仕切り４０挿入完了時の仮固定としても使用できる。
【００２９】
本願考案は上記の例に限らず種々変更して実施することができるものであり、例えば、仕切り４０は、単純な１枚の板にしても良く、複雑な複数の収納部を有するものとして実施することもできる。バッグの形態も様々に変更することができ、下げ手や、肩掛けベルトを備えたものにしたり、内側や外側に多数の収納部を備えたものにするなど、適宜変更して実施することができるものである。
【符号の説明】
【００３０】
１１  バッグ本体
１２  収納部
１３  前後面部
１４  提げ手
１５  底部
１６  上部
１７  外襠部
１８  内襠部
１９  開閉ファスナ
３１  スライド部材
３２  オス部材
３３  固定部
３４  首部
３５  頭部
３６  受け部材
３７  固定部
３８  頭受容部
３９  首挿通部
４０  仕切り
４１  ブリーフケース型部材
４２  前後面
４３  出し入れ口
５１  パソコンケース型部材
５２  前後面
５３  出し入れ口
５４  持ち手
５５  襠
【手続補正２】
【補正対象書類名】実用新案登録請求の範囲
【補正対象項目名】全文
【補正方法】変更
【補正の内容】
【実用新案登録請求の範囲】
【請求項１】
収納部を備えたバッグ本体と、前記収納部内に設けられた仕切りとを備えたバッグにおいて、
バッグ本体と仕切りとは、互いにスライド可能に嵌り合うバッグ本体側のスライド部材と仕切り側のスライド部材を備え、
前記仕切りを上方に引き抜くことで、前記バッグ本体から前記仕切りを外すことができ、前記バッグ本体側のスライド部材と前記仕切り側のスライド部材とを嵌め合わせてスライドさせることで、前記仕切りを前記バッグ本体に取り付けることができる仕切り着脱式バッグ。
【請求項２】
前記バッグ本体は、前面部と、後面部と、底部と、上部と、前記前面部と前記後面部との間の左右の襠部とを備え、少なくとも前記上部は開閉可能であり、
前記仕切りの左右両側に前記仕切り側のスライド部材が設けられ、前記左右の襠部に前記バッグ本体側のスライド部材が設けられ、
前記バッグ本体側のスライド部材と前記仕切り側のスライド部材とは、互いに上下にスライド可能であり、
前記仕切りを前記上部から取り外しすることを特徴とする請求項１記載の仕切り着脱式バッグ。
【請求項３】
前記仕切りは、ブリーフケース型部材と、パソコンケース型部材との２種を備え、
前記ブリーフケース型部材は、上部に出し入れ口を有し、左右に襠のないケースであって、前記襠のない左右に前記仕切り側のスライド部材が設けられた、書類を収納できるケースであり、
前記パソコンケース型部材は、上部に出し入れ口と持ち手を有し、左右に襠を有するケースであって、前記左右の襠に前記仕切り側のスライド部材が設けられた、ノートパソコンを収納できるケースであり、
前記ブリーフケース型部材と、前記パソコンケース型部材との２種を、前記バッグ本体側のスライド部材に交換可能に取り外しすることを特徴とする請求項２記載の仕切り着脱式バッグ。
【請求項４】
前記仕切り側のスライド部材はオス部材を備え、前記バッグ本体側のスライド部材は前記オス部材をスライド可能に受容する受け部材を備え、
前記オス部材は、前記仕切りに取り付けられる固定部と、前記固定部に支持された首部と、前記首部の先端に設けられた頭部とを備え、
前記頭部は、前記首部よりも前後幅が大きく、
前記受け部材は、前記バッグ本体に取り付けられる固定部と、前記固定部に支持されると共に前記頭部をスライド可能に受け入れる頭受容部と、前記頭部よりも前後幅が小さく前記首部を通すことができる首挿通部とを備えたことを特徴とする請求項１〜３の何れかに記載の仕切り着脱式バッグ。
【請求項５】
前記バッグ本体側の左右の前記スライド部材は、上部に仮固定部を備え、
前記仕切り側の左右の前記スライド部材は、下部に仮固定部を備え、
前記仕切り側の左右何れか一方の前記スライド部材の前記仮固定部を、前記バッグ本体側の左右何れか一方の前記スライド部材の前記仮固定部に仮固定させた状態で、前記仕切り側の左右何れか他方の前記スライド部材を、前記バッグ本体側の左右何れか他方の前記スライド部材に嵌め合わせ、
前記仕切り側の左右双方の前記スライド部材を、前記バッグ本体側の左右双方の前記スライド部材に対して上下にスライドさせて、前記仕切りを前記バッグ本体に取り付けるようにしたことを特徴とする請求項２又は３記載の仕切り着脱式バッグ。
【請求項６】
前記仕切り側の左右の前記スライド部材は、下部と上部に仮固定部を備え、
前記仕切りを前記バッグ本体に取り付けた状態で、前記仕切り側のスライド部材における前記上部の仮固定部と、前記バッグ本体側のスライド部材における前記仮固定部とが、仮固定されていることを特徴とする請求項５記載の仕切り着脱式バッグ。